(57)【特許請求の範囲】
【請求項１】
情報端末の平面ディスプレイの角度を調整する画面角度調整機構において、
前記情報端末を構成する筐体の所定の位置に設けられ前記平面ディスプレイを回転させるための回転軸と、前記情報端末の情報表示を行うディスプレイを収納する第一のケースと、前記第一のケースと嵌合し表示部を構成する第二のケースと、前記第一のケースと前記第二のケースの係合によって前記回転軸と回転自在に係合する円弧状に形成された軸ガイド穴と、
を有することを特徴とする情報端末の平面ディスプレイの角度調整機構。
【発明の詳細な説明】
【技術分野】
【０００１】
本発明は、情報端末における平面ディスプレイの角度調整機構に関する。
【背景技術】
【０００２】
従来の情報端末における平面ディスプレイの角度調整機構として、情報端末の筐体と表示部の間に配置された回転軸を中心として平面ディスプレイの回動を行うものがある。（例えば、特許文献１）。
【０００３】
しかしながら、特許文献１に記載されているような平面ディスプレイの角度調整機構では、情報端末の筐体と表示部の間に回転軸を表出させて配置することで、筐体と表示部の間に一定の距離が必要となり、筐体と表示部の一体感を損なってしまい見栄えが悪くなるという問題があった。
【先行技術文献】
【特許文献】
【０００４】
【特許文献１】特開２００１−３３９４９８号公報
【発明の概要】
【発明が解決しようとする課題】
【０００５】
そこで、本発明の課題は、回転軸によって情報端末の筐体と表示部の一体感を損なうことなく、且つ表示部を平置き状態から立ち上げた際にも外観を損なわない平面ディスプレイの角度調整機構を提供することにある。
【課題を解決するための手段】
【０００６】
上記課題を解決するために、本発明は、情報端末の平面ディスプレイの角度を調整する画面角度調整機構において、前記情報端末を構成する筐体の所定の位置に設けられ前記平面ディスプレイを回転させるための回転軸と、前記情報端末の情報表示を行うディスプレイを収納する第一のケースと、前記第一のケースと嵌合し表示部を構成する第二のケースと、前記第一のケースと前記第二のケースの係合によって前記回転軸と回転自在に係合する円弧状に形成された軸ガイド穴と、を有することを特徴とする。
【発明の効果】
【０００７】
本発明によれば、情報端末の平面ディスプレイの角度調整機構の回転軸は表示部内部に収納され、且つ軸ガイド穴は筐体と表示部の境界線を中心とする円弧形状であるので、筐体と表示部の間に一定の距離を設ける必要がなく、且つ表示部が平置き状態と立ち上げた状態の両方の状態において筐体と表示部の一体感を損なうことなく見栄えが良いという効果がある。
【図面の簡単な説明】
【０００８】
【図１】発明の平面ディスプレイの角度調整機構の回動構造を有した情報端末の斜視図
【図２】筐体の斜視図
【図３】表示部の分解図
【図４】表示部の断面拡大図
【図５】情報端末の断面拡大図
【発明を実施するための形態】
【０００９】
以下、本発明の実施形態について図面を用いて説明する。
【００１０】
図１（ａ）（ｂ）は本発明の平面ディスプレイの角度調整機構を有した情報端末の斜視図である。
【００１１】
図１（ａ）より情報端末は、筐体１１と受話器１２と表示部１３から構成される。使用者は表示部１３をＡ方向へ操作することで、図１（ｂ）のように平置き状態から任意の角度に立ち上げた状態に調整することができる。平面ディスプレイの角度調整機構については後述する。
【００１２】
図２は筐体１１の斜視図である。筐体１１には、後述する軸ガイド穴４１と嵌合し平面ディスプレイの角度調整機構を成す円形状の回転軸２１が設けられている。
【００１３】
図３は表示部１３の分解図である。表示部１３は第一のケース３１と第二のケース３２とＬＣＤ３３から構成される。ＬＣＤ３３は第一のケース３１および第二のケース３２が嵌合した内部の空間に収納される。第一のケース３１と第二のケース３２は所定の位置で嵌合した後にネジ等で固定され、一体の表示部１３となって平面ディスプレイの角度調整機構の回動が成される。
【００１４】
図４は表示部１３の断面拡大図である。第一のケース３１と第二のケース３２は、所定の位置で嵌合することで、前述した回転軸２１と嵌合し平面ディスプレイの角度調整機構を構成する軸ガイド穴４１を構成する。ガイド穴４１は４つの円弧の接続によって構成された円弧形状を成す。
【００１５】
図５（ａ）（ｂ）は情報端末の断面拡大図である。図５（ａ）より、回転軸２１は軸ガイド穴４１と係合し、軸ガイド穴４１は、表示部１３をＢ方向へ立ち上げる際には、図５（ｂ）のように回転軸２１が軸ガイド穴４１に沿って移動し、軸ガイド穴４１は、表示部１３の回転支線と筐体１１の接する線を略一致させた回転軸中心５１を支点とする円弧形状によって構成されることで、回転軸２１は、回転軸中心５１を支点とする円弧に沿って軸ガイド穴４１の内部を移動する。
【００１６】
これにより、表示部１３の回動は、筐体１１と表示部１３が接する線を略一致させた回転中心軸５１を支点とし、筐体１１と表示部１３の端部は接した状態を保持したまま回動が行われるため、表示部１３が平置き状態と立ち上げた状態の両方の状態で筐体１１と表示部１３の間に一定の距離ができることはないので、筐体１１と表示部１３の一体感を損なうことなく見栄えが良い平面ディスプレイの角度調整機構を提供できる。
【００１７】
以上、本発明の実施例について説明した。しかしながら本発明は、前述した実施例に記載の形状に限定されず、後述するように様々な変形が可能である。
【００１８】
例えば、本発明の実施形態では、回転軸２１は筐体１１の上部に配置され、軸ガイド穴４１は第一のケース３１と第二のケース３２の嵌合によって表示部１３の内部に構成される構造としたが、回転軸２１を第一のケース３１の筐体１１と接する側面端部に突設し、軸ガイド穴４１を筐体１１の第一のケース１３と接する側面端部に配置し、軸ガイド穴４１に回転軸２１を係合させることでも同様の効果を提供出来る。これによれば、軸ガイド穴４１が表示部１３の外部に配置されたので、表示部１３の内部の空間を広く確保することができ、ＬＣＤ３３の大型化や表示部１３の小型化を実現することができる。
【００１９】
また、本発明の実施形態では、軸ガイド穴４１は、第一のケース３１と第二のケース３２の係合によって構成される構造としたが、第一のケースまたは第二のケースのいずれか一方に軸ガイド穴４１を配置しても同様の効果を提供出来る。
【００２０】
また、本発明の実施形態では、軸ガイド穴４１は、平面ディスプレイの角度が任意の角度となった際に回転軸２１と軸ガイド穴４１の内壁が接触し回動が停止するような円弧形状によって構成されているが、平面ディスプレイの回動を任意の角度で停止させるためのストッパを筐体１１または表示部１３に設けることで、軸ガイド穴４１は必ずしも回転軸２１と接触し回動を停止させる円弧形状とする必要は無い。
【００２１】
また、本発明の実施形態では、回転軸２１及び軸ガイド穴４１はそれぞれ筐体１１及び第一のケース３１の一対に配置され長さは短い形状としているが、筐体１１と表示部１３の係合量を増やし強度を確保するために、回転軸２１及び軸ガイド穴４１の長さを長くしても良い。
【符号の説明】
【００２２】
１１  筐体
１２  受話器
１３  表示部
２１  回転軸
３１  第一のケース
３２  第二のケース
３３  ＬＣＤ
４１  軸ガイド穴
５１  回転中心軸
【図１】
0006634917.tif 000002
【図２】
0006634917.tif 000003
【図３】
0006634917.tif 000004
【図４】
0006634917.tif 000005
【図５】
0006634917.tif 000006